(57)【要約】【課題】本考案は、光伝送を確保できるＵＳＢコネクタを提供することを目的とする。【解決手段】本考案の電気コネクタは、絶縁性本体と、前記絶縁性本体に固着される複数の導電端子と、光信号を伝送するため光部材と、バネ体とを備える。前記絶縁性本体は、収納溝と、前記収納溝の後に設けられる第１固定部材とを有する。前記光部材は、第２固定部材を含んで前記収納溝に前後に移動可能な基部と、基部に装着されるファイバーと、前記ファイバーに対応するレンズとを有する。前記バネ体の前端が前記基部の第２固定部材に実装され、後端が前記絶縁性本体の第１固定部材に固着される。【選択図】図５
0003160707.tif 000002
【実用新案登録請求の範囲】
【請求項１】
収納溝と、前記収納溝の後に設けられる第１固定部材と、を有する絶縁性本体と、
前記絶縁性本体に固着される複数の導電端子と、
光信号を伝送するため、第２固定部材を含んで前記収納溝に前後に移動可能な基部と、前記基部に装着されるファイバーと、前記ファイバーに対応するレンズとを有する光部材と、
前端が前記基部の第２固定部材に実装され、後端が前記絶縁性本体の第１固定部材に固着されるバネ体と、
を備えることを特徴とする電気コネクタ。
【請求項２】
前記光部材の第２固定部材は、前記バネ体が囲む凸柱であることを特徴とする請求項１に記載の電気コネクタ。
【請求項３】
前記絶縁性本体の第１固定部材は、前記バネ体が囲む固定柱であることを特徴とする請求項２に記載の電気コネクタ。
【請求項４】
前記絶縁性本体には、前記収納溝の後に前記収納溝に貫通する保持溝が形成され、前記凸柱が前向きに前記保持溝に向かって突出することを特徴とする請求項３に記載の電気コネクタ。
【請求項５】
前記絶縁性本体には、前記固定柱と一直線に配列される凹溝が形成され、前記バネ体の前端が前記凹溝の上に上下に運動できることを特徴とする請求項３に記載の電気コネクタ。
【請求項６】
前記絶縁性本体には、前記収納溝に向かって開放する保持溝が形成され、前記第１固定部材は、前記保持溝に設けられて前記バネ体を部分的に支持する傾斜した当接部であり、前記バネ体は、後端が当接部に制限され、前端が保持溝に上下に運動できることを特徴とする請求項２に記載の電気コネクタ。
【請求項７】
前記絶縁性本体には、前記保持溝を包囲する底壁と、前記底壁から上向きに延在する一対の向かい合った側壁と、前記一対の向かい合った側壁を連接する後壁と、が設けられ、前記当接部は前記底壁と前記後壁との間に設けられることを特徴とする請求項６に記載の電気コネクタ。
【請求項８】
前記光部材の基部の前端には嵌入溝が形成され、前記絶縁性本体の収納溝の前端には、前記光部材の基部の嵌入溝と係合する阻止部が設けられ、前記基部が、前記阻止部によって、前記収納溝から離れることを防止できることを特徴とする請求項１に記載の電気コネクタ。
【請求項９】
前記導電端子は、ＵＳＢ３．０の規格に準拠する四つの第１端子と五つの第２端子を含み、各第１端子が平板状の第１接触部を有し、各第２端子が弾力な第２接触部が設けられることを特徴とする請求項１に記載の電気コネクタ。
【請求項１０】
前記電気コネクタは、前記絶縁性本体に取り付けられて前記導電端子を固定するためのベースと、前記ベースを被覆する被覆部材と、絶縁性本体を遮蔽するハウジングとを備えることを特徴とする請求項１に記載の電気コネクタ。
【考案の詳細な説明】
【技術分野】
【０００１】
本考案は、電気コネクタに関し、特に、ＵＳＢ（Ｕｎｉｖｅｒｓａｌ  Ｓｅｒｉａｌ  Ｂｕｓ）規格に準拠した電気コネクタに関するものである。
【背景技術】
【０００２】
従来技術のＵＳＢコネクタは、絶縁性本体と、絶縁性本体に固着される複数の導電端子と、絶縁性本体に配置されて光信号を伝送するための第１光部材とを備える。第１光部材は、レンズと、前記レンズと対応するファイバーとを有する。第１光部材は、絶縁性本体に固着されて、移動できない。
【先行技術文献】
【特許文献】
【０００３】
【特許文献１】中国特許公開第１０１３４５３５８Ａ号明細書
【考案の概要】
【考案が解決しようとする課題】
【０００４】
前記ＵＳＢコネクタは、相手光部材を有する相手コネクタと電気接続する場合、第１光部材が相手光部材と対応しない可能がある。これにより、光伝送効果が不良である。
【０００５】
そこで本考案は、上述される従来技術の問題に鑑み、光伝送を確保できるＵＳＢコネクタを提供することを目的とする。
【課題を解決するための手段】
【０００６】
前記目的を達成するために、本考案の電気コネクタは、絶縁性本体と、前記絶縁性本体に固着される複数の導電端子と、光信号を伝送するため光部材と、バネ体とを備える。前記絶縁性本体は、収納溝と、前記収納溝の後に設けられる第１固定部材とを有する。前記光部材は、第２固定部材を含んで前記収納溝に前後に移動可能な基部と、基部に装着されるファイバーと、前記ファイバーに対応するレンズとを有する。前記バネ体の前端が前記基部の第２固定部材に実装され、後端が前記絶縁性本体の第１固定部材に固着される。
【考案の効果】
【０００７】
従来技術と比べると、本考案は以下の長所を有する。本考案の相手コネクタの相手部が電気コネクタの基部に係合しない時、基部はバネ体の運動に伴って運動できる。これにより、基部は適切な位置に探して適切な位置まで前記相手部と電気接続できる。光伝送を確保できる。
【図面の簡単な説明】
【０００８】
【図１】本考案の第１実施形態の電気コネクタの組立斜視図である。
【図２】図１に示す電気コネクタの分解斜視図である。
【図３】図１に示す電気コネクタの別の分解斜視図である。
【図４】図２に示す電気コネクタの部分の組立斜視図である。
【図５】図１に示す電気コネクタの線Ａ―Ａに沿った断面図である。
【図６】本考案の第２実施形態の電気コネクタの組立斜視図である。
【図７】図６に示す電気コネクタの分解斜視図である。
【図８】図６に示す電気コネクタの別の分解斜視図である。
【図９】図７に示す電気コネクタの部分の組立斜視図である。
【図１０】図６に示す電気コネクタの線Ｂ―Ｂに沿った断面図である。
【考案を実施するための形態】
【０００９】
図１〜図５を参照すると、第１実施形態における電気コネクタ１００は、ＵＳＢコネクタである。電気コネクタ１００は、絶縁性本体１と、絶縁性本体１に挿入される複数の導電端子２と、絶縁性本体１に配置される光部材３と、絶縁性本体１と光部材３の間に取り付けられるバネ体４と、絶縁性本体１に固着されるベース５と、ベース５に実装される固定部材６と、絶縁性本体１を遮蔽する第１ハウジング７と、第２ハウジング８と、を備える。
【００１０】
図１〜図５に示すように、絶縁性本体１は、主体部１１と、主体部１１から前向きに突出する舌板１２とを備える。主体部１１の上方の後部には、複数の固定溝１１２が形成される。主体部１１の上方には、前部に形成される収納溝１２１と、前記収納溝１２１の後方に位置する保持溝１２２が形成される。収納溝１２１の前端にはＶ字状の阻止部１２４が設けられる。阻止部１２４の両側には一対の突出部１２６が設けられる。収納溝１２１には、一対の前後に延在するスライダー１２３が設けられる。収納溝１２１には、下向きに凹んだ凹溝１２９が形成される。保持溝１２２には、前向きに延在する固定柱１２２１が設けられる。固定柱１２２１と凹溝１２９とは、一直線に配置される。主体部１１の下表面には、前記ベース５を収納するための収納１１３が設けられる。前記舌板１２の下方には複数の第１端子溝１２７と複数の第２端子溝１２８とが形成される。
【００１１】
導電端子２は、ＵＳＢ３．０の規格に準拠する。複数の導電端子２は、四つの第１端子２１と五つの第２端子２２とを備える。第１端子２１は、平板状の第１接触部２１１と、第１固持部２１２と、第１尾部２１３とを有する。第２端子２２は、ドーム状の第２接触部２２１と、第２固持部２２２と、第２尾部２２３とを有する。
【００１２】
光部材３は、基部３０と、前記基部３０に装着されるファイバー３５とを備える。基部３０の下方には、スロット３１が形成される。前記絶縁性本体１のスライダー１２３がスロット３１に移動できる。前記基部３０の前端には、前記阻止部１２４に対応する嵌入溝３２が形成される。前記嵌入溝３２の両側には一対のレンズ３３が設けられる。レンズ３３の両側には、相手コネクタの相手部（図示せず）に対応する固定孔３４が形成される。
【００１３】
第１ハウジング７は金属材料によって製造される。第１ハウジング７は、天板７１と、天板７１と対向する底板７３と、頂板７１と底板７３とを連接する側板７２とを備える。天板７１の前端には、凸状部片７５が設けられる。
【００１４】
図４及び図５に示すように、電気コネクタ１を取り付ける場合、第１端子２１の第１接触部２１１は、第１端子溝１２７に挿入される。第２端子２２の第２接触部２２１は、第２端子溝１２８に挿入される。第１端子２１の第１固持部２１２は、主体部１１に挿入される。第２端子２２の第２固持部２２２が、ベース５に挿入される。被覆部材６がベース５を被覆する。他の実施形態においては、第２端子２２は、先ずベース５にインサートモールド或いは別の方法で成型される。第２端子２２の第２固持部２２２は、ベース５に固着される。被覆部材６がベース５を被覆する。次にベース５が絶縁性本体１に装着される。
【００１５】
ファイバー３５が基部３０に挿入されて、レンズ３３に対応する。ファイバー３５は絶縁性本体１の固定溝１１２に収納される。図４及び図５に示すように、バネ体４の両端は、それぞれ前記光部材３の凸柱３６と前記絶縁性本体１の固定柱１２２１に装着される。最後、第１ハウジング７と第２ハウジング８とは、絶縁性本体１に装着される。
【００１６】
電気コネクタ１００が相手コネクタと電気接続する場合、前記光部材３は前記バネ体４によって前後にスライドできる。光部材３が後向きに移動する時、基部３０がバネ体４の前端を押圧する。バネ体４の後端が固定柱１２２１に固着されることによって、バネ体４の前端は、凹溝１２９の上において上下に揺動運動可能となる。即ち、基部３０が後向きに移動するとともに上下に揺動運動可能となる。これにより、相手コネクタの相手部が電気コネクタ１００の定位孔３４に係合しない時、バネ体４によって、基部３０は適切な位置を探して適切な位置において前記相手部と電気接続する。
【００１７】
相手コネクタが電気コネクタ１００から抜き出される時、基部３０は、バネ体４０によって前向きに復元する。阻止部１２４が嵌入溝３２に嵌入される。阻止部１２４が光部材３の前に位置することによって、光部材３が収納溝１２１から離れることを防止できる。阻止部１２４が嵌入溝３２に係合することによって、光部材３が左右の運動を防止できる。
【００１８】
基部３０の前端の上方が、第１ハウジング７の凸状部片７５に当接する。基部３０の前端の下方が、舌板１２の突出部１２６に当接する。前記阻止部１２４と、前記突出部１２６と前記凸状部片７５とことによって、復元された光部材３の上下方向の運動を阻止できる。
【００１９】
図６〜図１０を参照すると、第２実施形態における電気コネクタ１００’の構造は第１実施形態の電気コネクタ１００の構造と類似している。第２実施形態の電気コネクタ１００’は、絶縁性本体１’と、絶縁性本体１’に挿入される複数の導電端子２’と、絶縁性本体１’に配置される光部材３’と、絶縁性本体１’と光部材３’との間に取り付けられるバネ体４’と、絶縁性本体１’に固着されるベース５’と、ベース５’に実装される固定部材６’と、絶縁性本体１’を遮蔽する第１ハウジング７’と、第２ハウジング８’と、を備える。その中で、導電端子２’と、光部材３’と、バネ体４’と、ベース５’と、固定部材６’と、第１ハウジング７’と、第２ハウジング８’と、の構造は、第１実施形態の対応する構造と同一である。
【００２０】
第２実施形態の電気コネクタ１００’の絶縁性本体１’は、主体部１１’と、主体部１１’から前向きに突出する舌板１２’とを備える。主体部１１’の上方の後部には、複数の固定溝１１２’が形成される。主体部１１’の上方には、前部に形成される収納溝１２１’と、前記収納溝１２１’に貫通する保持溝１２２’とが形成される。収納溝１２１’には、主体部１１’の上方の前端においてＶ字状の阻止部１２４’が設けられる。阻止部１２４’の両側には一対の突出部１２６’が設けられる。収納溝１２１’には、一対の前後に延在するスライダー１２３’が設けられる。収納溝１２１’には、下向きに凹んだ凹溝１２９’が形成される。絶縁性本体１’には、保持溝１２２’を包囲する底壁１２２１’と、底壁１２２１’から上向きに延在する一対の向かい合った側壁１２２２’と、一対の向かい合った側壁１２２２’の後端を連接する後壁１２２３’とを備える。図１０に示すように、前記底壁１２２１’と前記後壁１２２３’の間には、傾斜した当接部１２２４’が設けられる。当接部１２２４’には、傾斜面１２２５’が設けられる。舌板１２’の下方には複数の第１端子溝１２７’と複数の第２端子溝１２８’とが形成される。
【００２１】
図９及び図１０に示すように、電気コネクタ１００’を取り付ける場合、第１端子２１’の第１接触部２１１’は、第１端子溝１２７’に挿入される。第２端子２２’の第２接触部２２１’は、第２端子溝１２８’に挿入される。第１端子２１’の第１固持部２１２’は、主体部１１’に挿入される。第２端子２２’の第２固持部２２２’が、ベース５’に挿入される。被覆部材６’がベース５’を被覆する。他の実施形態においては、第２端子２２’は、先ずベース５’にインサートモールド或いは別の方法で成型される。第２端子２２’の第２固持部２２２’は、ベース５’に固着される。被覆部材６’がベース５’に被覆される。次にベース５’が絶縁性本体１’に装着される。
【００２２】
ファイバー３５’が基部３０’に挿入されて、レンズ３３’に対応する。ファイバー３５’は絶縁性本体１’の固定溝１１２’に挿入される。図９及び図１０に示すように、バネ体４’の両端は、それぞれ前記基部３０’の凸柱３６’と前記保持溝１２２’に装着され、当接部１２２４’に支持され、傾斜面１２２５’に当接する。バネ体４’は、当接部１２２４’のガイドによって、前後に運動する。最後、第１ハウジング７’と第２ハウジング８’とは、絶縁性本体１’に装入される。
【００２３】
電気コネクタ１００’は、相手コネクタと電気接続する。光部材３’はバネ体４’によって前後にスライドする。光部材３’が後向きに移動する場合、基部３０’がバネ体４’の前端を押圧する。バネ体４’の後端が保持溝１２２’の当接部１２２４’に制限されることによって、バネ体４の前端は、凹溝１２９’の上に上下に揺動運動する。相手コネクタの相手部が電気コネクタ１００’の定位孔３４’に係合しない場合、基部３０’が後向きに移動するとともに上下に揺動運動するこれによって、基部３０’は適切な位置に探して適切な位置まで前記相手部と電気接続する。
【００２４】
他の実施形態において、舌板１２には、収納溝１２１に向かって突出して基部３０の上方に当接して、光部材３の上下運動を防止できる当接部材が設けられてもよい。
【００２５】
以上、本考案について好ましい実施形態を参照して詳細に説明したが、実施形態はあくまでも例示的なものであり、これらに限定されるものではない。また、本考案に基づき成し得る細部の修正或いは変更などは、いずれも本考案の技術的範囲に属するものである。
【符号の説明】
【００２６】
１００  電気コネクタ
１  絶縁性本体
１１  主体部
１１２  固定溝
１１３  収納部
１２  舌板
１２１  収納溝
１２２  保持溝
１２２１  固定柱
１２２４  ブロック
１２３  スライダー
１２４  阻止部
１２６  突出部
１２７  第１端子溝
１２８  第２端子溝
１２９  凹溝
２  導電端子
２１  第１端子
２１１  第１接触部
２１２  第１固持部
２１３  第１尾部
２２  第２端子
２２１  第２接触部
２２２  第２固持部
２２３  第２尾部
３  光部材
３０  基部
３１  スロット
３２  嵌入溝
３３  レンズ
３４  固定孔
３５  ファイバー
３６  凸柱
４  バネ体
５  ベース
６  被覆部材
７  第１ハウジング
７１  天板
７２  側板
７３  底板
７５  凸状部片
８  第２ハウジング
１００’  電気コネクタ
１’  絶縁性本体
１１’  主体部
１１２’  固定溝
１１３’  収納部
１２’  舌板
１２１’  収納溝
１２２’  装入溝
１２２１’  底壁
１２２２’  側壁
１２２３’  側壁
１２２４’  当接部
１２２５’  傾斜面
１２３’  スライダー
１２４’  阻止部
１２６’  突出部
１２７’  第１端子溝
１２８’  第２端子溝
１２９’  凹溝
２’  導電端子
２１’  第１端子
２１１’  第１接触部
２１２’  第１固持部
２１３’  第１尾部
２２’  第２端子
２２１’  第２接触部
２２２’  第２固持部
２２３’  第２尾部
３’  光部材
３０’  基部
３１’  スロット
３２’  嵌入溝
３３’  レンズ
３４’  固定孔
３５’  ファイバー
３６’  凸柱
４’  バネ体
５’  ベース
６’  被覆部材
７’  第１ハウジング
７１’  天板
７２’  側板
７３’  底板
７５’  凸状部片
８’  第２ハウジング
【図１】
0003160707.tif 000003
【図２】
0003160707.tif 000004
【図３】
0003160707.tif 000005
【図４】
0003160707.tif 000006
【図５】
0003160707.tif 000007
【図６】
0003160707.tif 000008
【図７】
0003160707.tif 000009
【図８】
0003160707.tif 000010
【図９】
0003160707.tif 000011
【図１０】
0003160707.tif 000012